(57)【要約】【課題】特定の光源から発せられた光を、垂直方向・水平方向における種々の角度に拡散させることで、充分な明るさを備えた照明装置を提供する。【解決手段】本発明に係る照明装置は、光源１と、光源１を覆う第１光拡散体２と、第１光拡散体２を覆う第２光拡散体３とから成る。第１光拡散体２は、周面に複数のリング状突部４を設け、内部に段差状円形体５と、円錐状反射体６を備えている。第２光拡散体３は、周面に複数の縦長状突部７を設けている。また、光源１は、発光ダイオード（ＬＥＤ）である。【選択図】          図１
2004288404.tif 000002
【特許請求の範囲】
【請求項１】
光源と、光源を覆う光拡散体とから成り、この光拡散体は、周面に複数のリング状突部を設け、内部に透明な段差状円形体と、円錐状反射体を備えていることを特徴とする照明装置。
【請求項２】
光源と、光源を覆う光拡散体とから成り、この光拡散体は、周面に複数の縦長状突部を設けていることを特徴とする照明装置。
【請求項３】
光源と、光源を覆う第１光拡散体と、第１光拡散体を覆う第２光拡散体とから成り、第１光拡散体は、周面に複数のリング状突部を設け、内部に段差状円形体と、円錐状反射体を備え、第２光拡散体は、周面に複数の縦長状突部を設けていることを特徴とする照明装置。
【請求項４】
光源は、発光ダイオード（ＬＥＤ）である請求項１乃至３のいずれかに記載の照明装置。
【請求項５】
段差状円形体は、裏側が円錐状にくり抜かれている請求項１または３に記載の照明装置。
【請求項６】
縦長状突部は、上方から下方へ行くに従い、その高さを次第に低くし、また、幅を次第に狭くしている請求項２または３に記載の照明装置。
【請求項７】
光源は、周囲が暗い場合にのみ発光を可能とする光センサーを備えている請求項１乃至６のいずれかに記載の照明装置。
【発明の詳細な説明】
【０００１】
【発明の属する技術分野】
本発明は、特定の光源から発せられた光を、垂直方向・水平方向における種々の角度に拡散させる照明装置に関するものである。
【０００２】
【従来の技術】
従来におけるこの種の照明装置としては、例えば、発光ダイオードを複数個列設してなるランプ基台を、上面の断面が略逆円錐状の透光性キャップにて閉蓋してなる発光ダイオードランプを構成し、発光ダイオードからの光を、透光性キャップの上面の逆円錐状部の表面により、その大部分をランプ側面方向に反射させるようにしたものがある（例えば、実開昭６０−１３７５７号公報参照）。
【０００３】
【発明が解決しようとする課題】
しかしながら、このような従来における照明装置では、発光ダイオードからの光を、透光性キャップの上面の逆円錐状部の表面において反射させ、その大部分をランプ側面方向に直進させるだけであるので、反射した光が弱いものとなって充分な明るさを確保できないという弊害が生じていた。
【０００４】
そこで、本発明は叙上のような従来存した諸事情に鑑み創出されたもので、特定の光源から発せられた光を、垂直方向・水平方向における種々の角度に拡散させることで、充分な明るさを備えた照明装置を提供することを目的とする。
【０００５】
【課題を解決するための手段】
上述した課題を解決するため、本発明に係る照明装置においては、光源と、光源を覆う光拡散体とから成り、この光拡散体は、周面に複数のリング状突部を設け、内部に透明な段差状円形体と、円錐状反射体を備えていることで、上述した課題を解決した。
【０００６】
また、光源と、光源を覆う光拡散体とから成り、この光拡散体は、周面に複数の縦長状突部を設けていることで、同じく上述した課題を解決した。
【０００７】
さらに、光源と、光源を覆う第１光拡散体と、第１光拡散体を覆う第２光拡散体とから成り、第１光拡散体は、周面に複数のリング状突部を設け、内部に段差状円形体と、円錐状反射体を備え、第２光拡散体は、周面に複数の縦長状突部を設けていることで、同じく上述した課題を解決した。
【０００８】
また、光源は、発光ダイオード（ＬＥＤ）であることで、同じく上述した課題を解決した。
【０００９】
加えて、段差状円形体は、裏側が円錐状にくり抜かれていることで、同じく上述した課題を解決した。
【００１０】
また、縦長状突部は、上方から下方へ行くに従い、その高さを次第に低くし、また、幅を次第に狭くしていることで、同じく上述した課題を解決した。
【００１１】
この他、光源は、周囲が暗い場合にのみ発光を可能とする光センサーを備えていることで、同じく上述した課題を解決した。
【００１２】
以上のように構成された本発明に係る照明装置において、段差状円形体により、光源から発せられた直進性の光の一部が屈折し、段差状円形体の側方周囲に向けて光が拡散する。また、段差状円形体を透過した光は、円錐状反射体により、円錐状反射体の側方におけるあらゆる角度に光が拡散する。そして、第１光拡散体のリング状突部により、第１光拡散体の側方周囲に向けて、光が垂直方向に拡散する。
【００１３】
一方、第１光拡散体を透過した光は、第２光拡散体の周面に設けた縦長状突部により、第２光拡散体の側方周囲に向けて光が水平方向に拡散する。これによって、光照射幅が広くなるため、見かけ上、光源が拡大したような状態に見える。
【００１４】
【発明の実施の形態】
以下に、図面を参照して本発明の一実施の形態を説明する。本発明に係る照明装置は、図１に示すように、光源１と、光源１を覆う第１光拡散体２と、第１光拡散体２を覆う第２光拡散体３とから成る。
【００１５】
第１光拡散体２は、図２に示すように、周面に複数のリング状突部４を設けて形成されている。そして、内部に段差状円形体５と、円錐状反射体６を備えている。また、第２光拡散体３は、図４に示すように、内周面に複数の縦長状突部７を設けて形成されている。第１光拡散体２と第２光拡散体３は、透光性を備えた透明な材質である、例えば、アクリル材等を用いて形成されている。尚、第１光拡散体２と第２光拡散体３に、所定の着色を施しても良い。
【００１６】
第１光拡散体２のリング状突部４は、図１・図２に示すように、第１光拡散体２の外周面において、断面が略楔形となるように形成されており、光源１が発する光を屈折させながら透過させ、光を垂直方向に拡散させている。このリング状突部４は、第１光拡散体２の外周面から外側に向けて水平に延設された水平部分８と、水平部分８の先端から第１光拡散体２の外周面に向けて下方に延設された斜め下方部分９とから成る第１突部１０と、第１光拡散体２の外周面から外側に向けて水平に延設された水平部分１１と、水平部分１１の先端から第１光拡散体２の外周面に向けて上方に延設された斜め上方部分１２とから成る第２突部１３とから構成されている。
【００１７】
そして、第１突部１０は、図２に示すように、光源１に近い位置において、第１光拡散体２の外周面に複数設けられている。また、第２突部１３は、光源１から離れた位置において、第１光拡散体２の外周面に複数設けられている。尚、第１光拡散体２における第１突部１０と第２突部１３の間は、フラット部分１４となっている。
【００１８】
さらに、第１光拡散体２の内部には、光源１の前方において、段差状円形体５と円錐状反射体６を配置している。段差状円形体５は、図３に示すように、小円・中円・大円・・・というように円形部分が積み重なって、略９０度の段差部５Ａを複数備えている。また、段差状円形体５は、図２に示すように、最小円部分が光源１を向くように、第１光拡散体２の内部に固定されている。この段差状円形体５は、裏側が円錐状にくり抜かれている。そして、段差状円形体５は、透明に形成され、光源１からの光を透過させると共に、光を屈折させて、段差状円形体５の側方周囲に向けて光を拡散させている。尚、図３に示すように、段差状円形体５を構成する最小円部分も、若干くり抜かれている。
【００１９】
この他、円錐状反射体６は、図２に示すように、段差状円形体５から所定の距離を隔てて、光源１から遠ざかる方向に配置されている。また、円錐状反射体６は、円錐の頂点６Ａが光源１を向くように、第１光拡散体２の内部に固定されている。さらに、円錐面６Ｂには、例えば、金属の蒸着や塗布等による反射膜を形成している。よって、段差状円形体５を透過した光を反射し、側方のあらゆる角度に光が拡散する。
【００２０】
また、段差状円形体５と円錐状反射体６を備えている第１光拡散体２は、図１に示すように、その内周面において、複数の直線状突部１５を縦方向に設けている。さらに、第１光拡散体２は、図２に示すように、第１突部１０寄りの基端部に板状の脚部１６を設けてあり、この脚部１６をネジ止めする等して、光源１を覆うように固定されている。加えて、第１光拡散体２の先端部には、所定の孔１７が設けられている。
【００２１】
一方、第１光拡散体２を覆う第２光拡散体３は、図４に示すように、内周面に複数の縦長状突部７を設けている。この縦長状突部７は、第２光拡散体３の内周面において、縦方向に設けられている。また、縦長状突部７は、略三角形状に形成され、三角形の頂点７Ａが第２光拡散体３の内側を向くように配置されている。さらに、縦長状突部７は、上方から下方へ行くに従い、三角形の頂点７Ａの高さを次第に低くし、また、三角形の幅を次第に狭くするように形成されている。加えて、縦長状突部７は、長尺部分７Ｂ・中尺部分７Ｃ・短尺部分７Ｄから成り、第２光拡散体３の内周面の形状に合わせて若干折曲している。この縦長状突部７は、第１光拡散体２を透過して垂直方向に拡散された光を、さらに透過させて水平方向に拡散させている。
【００２２】
この他、図１に示すように、第２光拡散体３の先端部における内面側の中央には、支持突起１８が立設されている。この支持突起１８の先端部を、第１光拡散体２の孔１７に嵌挿させることにより、照明装置全体の堅牢性を確保すると共に、第１光拡散体２に対する第２光拡散体３の位置決めが容易となる。
【００２３】
また、図６に示すように、第２光拡散体３の先端部における外面側には、筒状の接続部１９が設けられている。この接続部１９の外周には、縦長の嵌合爪１９Ａを複数設けている。そして、第２光拡散体３の接続部１９に、筒状に形成された立設脚２０の基端部を嵌合させている。この立設脚２０は、先端部に剣状板材を十文字に交差させて成る尖鋭部２１を備えている。そして、第２光拡散体３の接続部１９に立設脚２０を嵌合させ、立設脚２０の尖鋭部２１を地面等に突き刺すことで、照明装置を所定の高さに設置している。
【００２４】
光源１部分の具体的な構成としては、例えば、図１に示すように、ソーラーパネル２２によって充電可能である電池２３に接続しているソケット２４に、発光ダイオード（ＬＥＤ）を取り付けている。また、発光ダイオード（ＬＥＤ）の点灯・消灯を制御するための回路基盤２５を備えている。さらに、光源１部分は、周囲が暗い場合にのみ発光を可能とするように、所定の光センサー２６を備えている。こうしてソーラーパネル２２によって電池２３に電力エネルギーを充電することで、一般的な有料の電力を使うことなく、光源１を発光させることができる。尚、光源１は、発光ダイオード（ＬＥＤ）に限定されることはなく、光を発することができれば、どのような構成のものであっても差し支えない。また、ソーラーパネル２２による電力エネルギーを用いて光源１を発光させるものに限定されることはなく、一般的な有料の電力等を使うものであっても良い。
【００２５】
次に、光源１から発せられた光の進行について詳述する。まず、図１・図３に示すように、透明な段差状円形体５により、光源１から発せられた直進性の光の一部が屈折し、段差状円形体５の側方周囲に向けて光が拡散する。また、段差状円形体５を透過した光は、円錐状反射体６により、円錐状反射体６の側方周囲におけるあらゆる角度に光が拡散する。そして、第１光拡散体２のリング状突部４（１０，１３）により、第１光拡散体２の側方周囲に向けて、光が垂直方向に拡散する。
【００２６】
一方、第１光拡散体２を透過した光は、第２光拡散体３の内周面に設けた略三角形状の縦長状突部７により、図５（ａ）・（ｂ）に示すように、第２光拡散体３の側方周囲に向けて光が水平方向に拡散する。これによって、光照射幅が広くなるため、見かけ上、光源１が拡大したような状態に見える。
【００２７】
尚、図に示す第２光拡散体３の縦長状突部７は、第２光拡散体３の内周面に設けられているが、これに限定されることはなく、第２光拡散体３の外周面に縦長状突部７を設けても良い。また、図に示す縦長状突部７は、略三角形状に形成されているが、これに限定されることはなく、例えば、半円形・楕円形・台形・四角形等のどのような形状であっても良い。
【００２８】
さらに、照明装置を、所定の光源１と、段差状円形体５・円錐状反射体６を備えて光源１を覆う第１光拡散体２だけで構成しても良い。また、照明装置を、所定の光源１と、光源１を覆う第２光拡散体３だけで構成しても良い。
【００２９】
【発明の効果】
以上のように構成された本発明に係る照明装置において、段差状円形体５により、光源１から発せられた直進性の光の一部が屈折し、段差状円形体５の側方周囲に向けて光が拡散する。また、段差状円形体５を透過した光は、円錐状反射体６により、円錐状反射体６の側方におけるあらゆる角度に光が拡散する。そして、第１光拡散体２のリング状突部４により、第１光拡散体２の側方周囲に向けて、光が垂直方向に拡散する。
【００３０】
一方、第１光拡散体２を透過した光は、第２光拡散体３の周面に設けた縦長状突部７により、第２光拡散体３の側方周囲に向けて光が水平方向に拡散する。これによって、光照射幅が広くなるため、見かけ上、光源１が拡大したような状態に見える。
【００３１】
このように、特定の光源１から発せられた光を、垂直方向・水平方向における種々の角度に拡散させることで、照明装置として充分な明るさを確保することができる。
【００３２】
また、光源１は、発光ダイオード（ＬＥＤ）であるので、直進性を備えた光を、垂直方向・水平方向に拡散させ、これにより光量の減衰を防ぐことができる。
【００３３】
さらに、光源１は、周囲が暗い場合にのみ発光を可能とする光センサー２６を備えているので、必要なときだけ光源１を点灯させて、消費電力の無駄を省いている。
【図面の簡単な説明】
【図１】本発明に係る照明装置の使用状態を示した一部拡大の断面図である。
【図２】段差状円形体と円錐状反射体を備えた第１光拡散体の構成を示した一部切欠の斜視図である。
【図３】段差部を有する段差状円形体の構成を示した断面図である。
【図４】第２光拡散体が備えている縦長状突部の構成を示した概略斜視図である。
【図５】第２光拡散体における光の進行例を示したもので、（ａ）は縦長状突部により屈折された光の透過状態を示し、（ｂ）は縦長状突部にり反射された光の透過状態を示している。
【図６】第２光拡散体の接続部に、立設脚を取り付ける状態を示した分解斜視図である。
【符号の説明】
１…光源                          ２…第１光拡散体
３…第２光拡散体                  ４…リング状突部
５…段差状円形体                ５Ａ…段差部
６…円錐状反射体                ６Ａ…円錐の頂点
６Ｂ…円錐面                        ７…縦長状突部
７Ａ…三角形の頂点                ７Ｂ…長尺部分
７Ｃ…中尺部分                    ７Ｄ…短尺部分
８…水平部分                      ９…斜め下方部分
１０…第１突部                    １１…水平部分
１２…斜め上方部分                １３…第２突部
１４…フラット部分                １５…直線状突部
１６…脚部                        １７…孔
１８…支持突起                    １９…接続部
１９Ａ…嵌合爪                      ２０…立設脚
２１…尖鋭部                      ２２…ソーラーパネル
２３…電池                        ２４…ソケット
２５…回路基板                    ２６…光センサー
【図１】
2004288404.tif 000003
【図２】
2004288404.tif 000004
【図３】
2004288404.tif 000005
【図４】
2004288404.tif 000006
【図５】
2004288404.tif 000007
【図６】
2004288404.tif 000008